(57)【要約】【課題】  地震や火災の発生時に、遊技球の散乱による歩行者の転倒事故を防止するとともに、店外への遊技球の流出を阻止する。【解決手段】  店内の床の上に、上面が歩行用通路として機能する通路用構造物Ｂ１１，Ｂ１２，Ｂ１３，Ｂ２１ａ，Ｂ２１ｂ，Ｂ２２ａ，Ｂ２２ｂを敷き詰め、床のレベルが若干上がるようにする。所定箇所に回収溝を形成し、通路用構造物の上面に散乱した遊技球を落下させて回収する。遊技台取付用島状構造体１１の両脇に、回収溝Ｇ１１ａ，Ｇ１１ｂを配置し、遊技台に向かって椅子３０に着座した遊技者が、足を溝内に置けるようにする。通路用構造物Ｂ２１ａ，Ｂ２２ａの上面を転がって、出入り口Ｅ１や非常口Ｅ２へ向かう遊技球の流路を遮断する位置に、回収溝Ｇ２１，Ｇ２２を形成し、遊技球の店外流出を阻止する。回収溝Ｇ２１，Ｇ２２の上面には、メッシュ状の蓋板をはめる。【選択図】  図２
2005261641.tif 000002
【特許請求の範囲】
【請求項１】
災害発生時に、パチンコ店の床面上に散乱した遊技球により生じるおそれのある二次災害を防止するための防災構造体であって、
遊技台取付用島状構造体の周囲に形成された第１の通路領域に配置され、上面が揚床式の歩行用通路として機能する第１の通路用構造物と、
前記第１の通路領域と避難口との間に形成された第２の通路領域に配置され、上面が揚床式の歩行用通路として機能する第２の通路用構造物と、
前記第１の通路用構造物および前記第２の通路用構造物の少なくとも一方の上面に散乱した遊技球を、落下させて内部に収容するための回収溝と、
を有することを特徴とするパチンコ店用防災構造体。
【請求項２】
請求項１に記載の防災構造体において、
第１の通路用構造物の上面に散乱した遊技球を落下させて内部に収容する機能を有し、遊技台に向かって着座した遊技者の足が置かれる位置に設けた第１の回収溝と、
第２の通路用構造物の上面に散乱した遊技球を落下させて内部に収容する機能を有し、前記第２の通路用構造物の上面を転がって避難口へ向かう遊技球の流路を遮断する位置に設けた第２の回収溝と、
を有することを特徴とするパチンコ店用防災構造体。
【請求項３】
請求項２に記載の防災構造体において、
第２の回収溝を、店外への出口、階段、昇降機、もしくは階段式昇降機へ向かう遊技球の流路を遮断する位置に設けたことを特徴とするパチンコ店用防災構造体。
【請求項４】
請求項１〜３のいずれかに記載の防災構造体において、
第２の回収溝の上面に、遊技球が落下するのに十分な大きさの開口部を有する蓋板を設けたことを特徴とするパチンコ店用防災構造体。
【発明の詳細な説明】
【技術分野】
【０００１】
本発明は、パチンコ店用防災構造体に関し、特に、災害発生時に、パチンコ店の床面上に散乱した遊技球により生じるおそれのある二次災害を防止するための防災構造体に関する。
【背景技術】
【０００２】
近年、地震や火災による死傷者を低減させるため、公共施設や商業施設などにおいて、防災設備を一層充実させるための努力が払われている。特に、パチンコ店では、比較的狭い空間に多数の遊技者が密集した状態で遊技を行うため、地震や火災が発生した場合には、大混乱が予想される。このため、十分な防災対策が不可欠である。
【０００３】
このようなパチンコ店における防災対策として、たとえば、下記の特許文献１には、地震発生時に遊技機が倒壊して、遊技者に被害が及ばないように、遊技台取付用島状構造体に耐震構造をもたせる方法が開示されている。また、下記の特許文献２には、パチンコ店内の排煙を行うための装置が開示されている。
【特許文献１】特開平９−２３９１３５号公報
【特許文献２】特開平７−８０１４７号公報
【発明の開示】
【発明が解決しようとする課題】
【０００４】
上述したように、パチンコ店用の防災対策として、これまで、遊技機の倒壊を防ぐ工夫や、ホール内の排煙の工夫などが施されている。しかしながら、災害発生時に予想されるパチンコ店に固有の問題として、現在のところ、遊技球の散乱という事態が見逃されている。
【０００５】
通常、多数の賞球を獲得した遊技者は、獲得した遊技球を容器に入れ、これをパチンコ台の足下に置きながら遊技を続けるのが一般的である。場合によっては、このような容器が足下に何段も積み重ねられることもある。このような状況で地震が発生すれば、当然、容器内に収容されていた遊技球が容器からこぼれ落ち、激しい震動が生じた場合には、容器が転倒して、収容されていた全遊技球が床面に散乱するような事態が生じかねない。また、店内で火災や犯罪が発生したような場合、混乱した遊技者が出口へと殺到することが予想され、足下に積まれていた遊技球用の容器が蹴飛ばされて、遊技球が床面に散乱する事態も起こりうる。
【０００６】
遊技球は、かなりの質量をもった金属製の球体であり、多量の遊技球が床面へ散乱し始めると、平常時であっても、歩行者にとっては極めて危険な状況になる。まして、地震、火災、犯罪などが発生した混乱時では、散乱した遊技球による転倒事故が多発することは想像に難くない。しかも、遊技球の散乱は、店内のみに留まるとは限らない。多量の遊技球が、パチンコ店の出入り口から店外へと流れ出ることになると、路上の歩行者に対しても転倒の危険性を与えるのみならず、道路を走行中の車両に対してもスリップ事故を誘発しかねない。また、ビル内のパチンコ店では、フロアーから転がり出た遊技球が、階段や昇降機を伝わって階下へと流れ出るおそれがあり、重力により加速された多量の金属製球体により、極めて重大な二次災害が誘発される可能性もある。
【０００７】
このように、災害発生時における遊技球の散乱は、様々な二次災害を誘発する重大な事態であり、各パチンコ店は自らの責任において何らかの対策を講じるべきである。しかしながら、従来は、このようなパチンコ店に固有の問題に対処可能な防災対策の考慮は全くなされていなかった。
【０００８】
そこで本発明は、災害発生時にパチンコ店で生じることが予想される遊技球の散乱という事態に有効に対処することが可能なパチンコ店用防災構造体を提供することを目的とする。
【課題を解決するための手段】
【０００９】
(1)   本発明の第１の態様は、災害発生時に、パチンコ店の床面上に散乱した遊技球により生じるおそれのある二次災害を防止するために、
遊技台取付用島状構造体の周囲に形成された第１の通路領域に配置され、上面が揚床式の歩行用通路として機能する第１の通路用構造物と、
この第１の通路領域と避難口との間に形成された第２の通路領域に配置され、上面が揚床式の歩行用通路として機能する第２の通路用構造物と、
第１の通路用構造物および第２の通路用構造物の少なくとも一方の上面に散乱した遊技球を、落下させて内部に収容するための回収溝と、
によって、パチンコ店用防災構造体を構成するようにしたものである。
【００１０】
(2)   本発明の第２の態様は、上述した第１の態様に係るパチンコ店用防災構造体において、
第１の通路用構造物の上面に散乱した遊技球を落下させて内部に収容する機能を有し、遊技台に向かって着座した遊技者の足が置かれる位置に設けた第１の回収溝と、
第２の通路用構造物の上面に散乱した遊技球を落下させて内部に収容する機能を有し、第２の通路用構造物の上面を転がって避難口へ向かう遊技球の流路を遮断する位置に設けた第２の回収溝と、
を設けるようにしたものである。
【００１１】
(3)   本発明の第３の態様は、上述した第２の態様に係るパチンコ店用防災構造体において、
第２の回収溝を、店外への出口、階段、昇降機、もしくは階段式昇降機へ向かう遊技球の流路を遮断する位置に設けるようにしたものである。
【００１２】
(4)   本発明の第４の態様は、上述した第１〜第３の態様に係るパチンコ店用防災構造体において、
第２の回収溝の上面に、遊技球が落下するのに十分な大きさの開口部を有する蓋板を設けるようにしたものである。
【発明の効果】
【００１３】
(1)   本発明の第１の態様に係るパチンコ店用防災構造体を設置すれば、第１の通路用構造物および第２の通路用構造物の上面が揚床式の歩行用通路として機能するため、歩行用通路の高さは本来の床面よりも若干高くなるが、実用上の支障は生じない。そして、本発明では、これら揚床式の歩行用通路の上面に散乱した遊技球を、落下させて内部に収容するための回収溝が併せて形成されるため、散乱する遊技球を回収溝に回収し、歩行用通路の上面に滞留することを極力避けることができるようになる。また、本発明に係るパチンコ店用防災構造体を具現する際には、通路用構造物を設置しない領域（店舗の本来の床面が露出した領域）をそのまま回収溝として利用する形態を採ることができ、そのような形態を採れば、施工は比較的容易であり、導入コストも低く抑えられる。
【００１４】
(2)   本発明の第２の態様に係るパチンコ店用防災構造体では、遊技台に向かって着座した遊技者の足が置かれる位置に第１の回収溝が設けられるため、揚床式の歩行用通路として機能する通路用構造物を設置しているにもかかわらず、遊技中の遊技者は、足を自然な高さに保つことができる。また、このような位置に第１の回収溝を設けることにより、第１の通路用構造物の上面に散乱した遊技球を有効に溝内に回収することができるようになる。一方、この第２の態様に係るパチンコ店用防災構造体では、第２の通路用構造物の上面を転がって避難口へ向かう遊技球の流路を遮断する位置に第２の回収溝が設けられるため、第２の通路用構造物の上面に散乱した遊技球を有効に溝内に回収することができる効果が得られるとともに、遊技球が避難口を通じて店外や階下へと流れ出ることを有効に阻止することが可能になる。
【００１５】
(3)   本発明の第３の態様に係るパチンコ店用防災構造体では、店外への出口、階段、昇降機、もしくは階段式昇降機を避難口として取り扱い、これら各避難口へ向かう遊技球の流路を遮断する位置に第２の回収溝を設けるようにしたため、遊技球が階段や昇降機などを伝わって階下へと流れ出ることも有効に阻止することができる。
【００１６】
(4)   本発明の第４の態様に係るパチンコ店用防災構造体では、第２の回収溝の上面に、遊技球が落下するのに十分な大きさの開口部を有する蓋板を設けたため、散乱する遊技球を溝内に回収するという発明本来の効果を損なうことなしに、回収溝を蓋板で覆うことができるようになる。蓋板に設けられた開口部の大きさを、遊技球を導入するのには十分で、歩行者の歩行を妨げない大きさ（具体的には、歩行者のつま先が入り込まない大きさ）に設定しておけば、歩行者が第２の回収溝に足を捕らわれて転倒するような事故の発生を防ぐことができる。なお、第１の回収溝は、遊技台に向かって着座した遊技者の足が置かれる位置に設けられるため、一般的には、蓋板を被せる必要はない。
【発明を実施するための最良の形態】
【００１７】
以下、本発明を図示する実施形態に基づいて説明する。図１は、本発明に係る防災構造体の適用対象となる一般的なパチンコ店の見取図である。図示のとおり、このパチンコ店は、外壁部Ｗで囲まれた店舗から構成されており、正面の出入り口Ｅ１と脇の非常口Ｅ２を通じて、店内への出入りが可能となっている。
【００１８】
このパチンコ店の店内には、遊技台取付用島状構造体１１，１２，１３（以下、単に、島状構造体と呼ぶ）と、景品交換カウンタ２０とが設置されている。各島状構造体１１，１２，１３には、その両側面に、それぞれ遊技台（図１には示されていない）が取付けられており、各遊技台に向かい合う位置には、それぞれ遊技椅子３０が配置されている。ここでは、説明の便宜上、１つの島状構造体の片側面に、それぞれ６台ずつの遊技台が取り付けられている例を示すが、遊技台の取付け台数は、個々のホールの規模などに応じて任意に設定される。また、島状構造体には、必ずしも両側面に遊技台が取り付けられているとは限らず、片側面だけに遊技台が取り付けられている場合もある。また、図示のパチンコ店は、３つの島状構造体１１，１２，１３のみを備えた比較的小規模な店舗であるが、本発明は、より多数の島状構造体を備えた大規模店舗に対しても同様に適用可能である。
【００１９】
パチンコ店の店内は、いずれの領域も通路となりうる領域であるが、本願では、説明の便宜上、パチンコ店の店内の領域を、島状構造体の周囲に形成された第１の通路領域と、この第１の通路領域と避難口との間に形成された第２の通路領域と、に分けて取り扱うことにする。図１には、これらの各領域を示すために、一点鎖線からなる領域境界線を描いてある。具体的には、島状構造体１１の周囲に形成された領域Ａ１１、島状構造体１２の周囲に形成された領域Ａ１２、島状構造体１３の周囲に形成された領域Ａ１３は、いずれも第１の通路領域であり、図の上方の出入り口Ｅ１に隣接する領域Ａ２１および図の下方の非常口Ｅ２に隣接する領域Ａ２２は、いずれも第２の通路領域である。
【００２０】
各島状構造体１１，１２，１３の周囲に形成された第１の通路領域Ａ１１，Ａ１２，Ａ１３は、各島状構造体に設けられた遊技台へ向かうための通路として機能する領域であり、遊技者は、遊技開始時に、この第１の通路領域を歩行しながら、遊技対象となる遊技台を物色することになる。一方、第２の通路領域Ａ２１，Ａ２２は、上述した第１の通路領域Ａ１１，Ａ１２，Ａ１３と避難口（図示の例の場合、出入り口Ｅ１および非常口Ｅ２）とを連結する通路として機能する領域であり、災害発生時に遊技中の遊技者は、この第２の通路領域を通って避難することになる。このように、本願では、「第１の」なる文言は、各島状構造体の周囲の領域に関する構成要素を示すために用い、「第２の」なる文言は、避難口へ続く通路領域に関する構成要素を示すために用いることにする。
【００２１】
もちろん、第１の通路領域と第２の通路領域との境界は、厳密に定義できるものではない。図示する実施形態では、各領域の境界を一点鎖線で示したが、これは説明の便宜のためのものである。一般に、島状構造体に遊技台を取り付ける形式を採るパチンコ店であれば、両者の境界を厳密に定義することはできないにしても、島状構造体の周囲に形成された第１の通路領域と、この第１の通路領域と避難口との間に形成された第２の通路領域とは、必ず存在し、店内にこの２つの通路領域が存在する店舗であれば、本発明を支障なく適用することが可能である。
【００２２】
本発明の目的は、図１に示すようなパチンコ店の店舗において、災害発生時に予想される遊技球の散乱という事態に有効に対処することにある。前述したとおり、地震、火災、犯罪などによる災害が発生すると、店内に置かれていた容器が倒れ、遊技球が床面に散乱する事態が予想される。この場合、遊技球は、第１の通路領域Ａ１１，Ａ１２，Ａ１３内はもちろんのこと、第２の通路領域Ａ２１，Ａ２２へも転がってゆき、更に、出入り口Ｅ１や非常口Ｅ２を通って店外へと流れ出る可能性がある。こうして散乱した遊技球は、店内にいる遊技者の避難歩行を妨げるだけでなく、店外の路上の歩行者や道路を走行中の車両に対しても事故を誘発しかねない。
【００２３】
本発明の基本思想は、災害発生時に床に散乱する遊技球を回収するため、店内の所定箇所に回収溝を形成する、という点にある。ただ、回収溝は、重力による落下を利用して遊技球を溝内に取り込み、歩行用通路上に散乱した遊技球を回収する働きをするため、歩行用通路よりも低い位置に設ける必要がある。このような回収溝を形成するには、既存の床の一部を掘り下げる構造にすることも可能であるが、本発明では、逆に、歩行用通路となる領域の床面を揚げる、という手法を採る。具体的には、上面が揚床式の歩行用通路として機能する通路用構造物を所定箇所に配置すれば、その脇に容易に回収溝を形成することが可能になる。特に、店舗本来の床の部分を回収溝として利用すれば、回収溝を構成するための構成要素を新たに設ける必要はなくなる。
【００２４】
図２は、図１に示すパチンコ店に本発明に係る防災構造体を設置した施工例を示す見取図である（ハッチング部分は、後述するように、回収溝の形成領域を示すものであり、断面を示すものではない）。この施工例では、図１に示す第１の通路領域Ａ１１，Ａ１２，Ａ１３および第２の通路領域Ａ２１，Ａ２２のほぼ全域に通路用構造物が配置されている。すなわち、図１に示す第１の通路領域Ａ１１，Ａ１２，Ａ１３には、図２に示されているように、それぞれ第１の通路用構造物Ｂ１１，Ｂ１２，Ｂ１３が配置されている。また、図１の上方に示されている第２の通路領域Ａ２１には、図２に示されているように、第２の通路用構造物Ｂ２１ａ／Ｂ２１ｂが配置されており、図１の下方に示されている第２の通路領域Ａ２２には、図２に示されているように、第２の通路用構造物Ｂ２２ａ／Ｂ２２ｂが配置されている。
【００２５】
ただし、図２にハッチングを施して示す領域には、通路用構造物は配置されておらず、店舗本来の床の表面が露出した状態となっている。別言すれば、これらハッチング部分は、店舗本来の床の部分を利用した回収溝を構成することになる。たとえば、島状構造体１１の周囲に形成された通路領域Ａ１１（図１参照）には、通路用構造物Ｂ１１（図２参照）が配置されているが、この通路用構造物Ｂ１１は、島状構造体１１の長手方向に沿った両脇直近部分を避けるように構成されており、当該両脇直近部分には、図のハッチング部分として示すように、回収溝Ｇ１１ａ，Ｇ１１ｂが形成されている。同様に、島状構造体１２の両脇直近部分には、回収溝Ｇ１２ａ，Ｇ１２ｂが形成されており、島状構造体１３の両脇直近部分には、回収溝Ｇ１３ａ，Ｇ１３ｂが形成されている。
【００２６】
一方、出入り口Ｅ１に隣接する通路領域Ａ２１には、図２に示すとおり、通路用構造物Ｂ２１ａおよびＢ２１ｂが配置されているが、これら構造物Ｂ２１ａおよびＢ２１ｂは、図のハッチング部分として示すように、回収溝Ｇ２１によって分断された形になっている。同様に、非常口Ｅ２に隣接する通路領域Ａ２２には、図２に示すとおり、通路用構造物Ｂ２２ａおよびＢ２２ｂが配置されているが、これら構造物Ｂ２２ａおよびＢ２２ｂは、図のハッチング部分として示すように、回収溝Ｇ２２によって分断された形になっている。
【００２７】
図２の見取図における各通路用構造物および各回収溝の具体的な構造は、図３および図４に示す側断面図に明瞭に示されている。図３は、図２に示す防災構造体を切断線３−３に沿って切った側断面図であり、主として、島状構造体１１から１２にわたる部分の構造を示している。一方、図４は、図２に示す防災構造体を切断線４−４に沿って切った側断面図であり、主として、非常口Ｅ２から景品交換カウンタ２０へ向かう部分の構造を示している。
【００２８】
ここではまず、図３の側断面図を参照しながら、通路用構造物Ｂ１１，Ｂ１２およびこれに隣接して設けられた回収溝Ｇ１１ａ，Ｇ１１ｂ，Ｇ１２ａ，Ｇ１２ｂの構造を説明する。前述したとおり、島状構造体１１，１２は、その両側に遊技台を取り付けるための構造体であり、図には、遊技台４０が取り付けられた状態の断面が示されている。ただし、本発明に直接関係しない部分（たとえば、各島状構造体１１，１２の内部構造や各遊技台４０の内部構造）についての図示は省略している。各遊技台４０の正面には、それぞれ遊技椅子３０が配置されている。この実施形態の場合、これら遊技椅子３０は、移動することのないように、遊技台４０の正面位置に固定されている。図示されている一対の遊技椅子３０の背面部分の空間は、遊技者が島状構造体の長手方向（図３における紙面に垂直な方向）に進む場合の歩行用空間になる。
【００２９】
図３の下方に示されているように、図示されている部分の左半分は、島状構造体１１の周囲に形成された通路領域Ａ１１に相当する部分であり、右半分は、島状構造体１２の周囲に形成された通路領域Ａ１２に相当する部分である。そして、図の左半分に示された通路領域Ａ１１には、通路用構造物Ｂ１１が配置され、図の右半分に示された通路領域Ａ１２には、通路用構造物Ｂ１２が配置されている。通路用構造物Ｂ１１，Ｂ１２は、上面が揚床式の歩行用通路として機能する構成要素であり、人の体重を十分に支えることが可能な堅牢性を有する必要がある。なお、図３の側断面図では、通路用構造物Ｂ１１は、島状構造体１１の左右に分断された形になっているが、図２の見取図に示されているとおり、通路用構造物Ｂ１１は、島状構造体１１の周囲を取り囲むような形態をしている。これは、通路用構造物Ｂ１２，Ｂ１３についても同様である。
【００３０】
図３に示す床１００は、この店舗本来の床であり、島状構造体１１，１２は、この店舗本来の床１００の上面に設置されている。また、この実施形態では、遊技椅子３０も、この床１００の上に固定されている。図示の遊技椅子３０は、円柱状台座部３１、座面部３２、背もたれ部３３によって構成されているが、通路用構造物Ｂ１１，Ｂ１２には、円柱状台座部３１を挿通するための円形開口部が形成されており、円柱状台座部３１の底面は、床１００の上面に直接取り付けられている。
【００３１】
もちろん、本発明を実施する上では、遊技椅子３０は必ずしも床１００上に取り付ける必要はなく、通路用構造物Ｂ１１，Ｂ１２上に固定してもよいし、固定せずに通路用構造物Ｂ１１，Ｂ１２上に単に置いただけでもよい。ただ、既存のパチンコ店に、本発明に係る防災構造体を新たに設置する際には、既に、床１００に合わせた高さの遊技椅子３０が設置されていることになるので、図３に示す例のように、遊技椅子３０が床１００の上に設置された状態となるように、通路用構造物Ｂ１１，Ｂ１２を設置すればよい。
【００３２】
図３に示されているとおり、通路用構造物Ｂ１１は、島状構造体１１の両脇直近部分を避けるように配置されており、当該両脇直近部分には、回収溝Ｇ１１ａ，Ｇ１１ｂが形成されている。同様に、通路用構造物Ｂ１２も、島状構造体１２の両脇直近部分を避けるように配置されており、当該両脇直近部分には、回収溝Ｇ１２ａ，Ｇ１２ｂが形成されている。その結果、通路用構造物Ｂ１１，Ｂ１２の上面に散乱した遊技球を、回収溝Ｇ１１ａ，Ｇ１１ｂ，Ｇ１２ａ，Ｇ１２ｂ内に落下させて内部に収容することが可能になる。たとえば、図示の遊技球５１は、通路用構造物Ｂ１１の上面に転がっているが、更に、図の左方へと転がれば、回収溝Ｇ１１ｂ内に落下することになる。図示の遊技球５２は、このようにして回収溝Ｇ１１ｂの内部に収容された遊技球を示している。
【００３３】
各回収溝の容量を十分に確保しておけば、多量の遊技球が通路用構造物の上面に散乱したとしても、これを回収溝内に収容し、そこに滞留させておくことができるようになる。別言すれば、回収溝内に落下した遊技球を、二度と通路用構造物の上面へと戻さないようにすることができる。
【００３４】
続いて、図４の側断面図を参照しながら、通路用構造物Ｂ２２ａ，Ｂ２２ｂおよびこれらを分断する位置に設けられた回収溝Ｇ２２の構造を説明する。図２の見取図に示されているとおり、図４は、非常口Ｅ２から景品交換カウンタ２０へ向かう部分の構造を示す側断面図であり、図４の左端には、非常口Ｅ２の断面が示されている。図４の下方に示されているように、図示されている部分は、非常口Ｅ２へと向かう通路領域Ａ２２に相当する部分であり、ここには、通路用構造物Ｂ２２ａ，Ｂ２２ｂが、回収溝Ｇ２２を挟んで配置されている。この通路用構造物Ｂ２２ａ，Ｂ２２ｂも、上面が揚床式の歩行用通路として機能する構成要素であり、図示されている歩行者５０の体重を十分に支えることが可能な堅牢性を有する必要がある。
【００３５】
図４に示す床１００は、この店舗本来の床であり、通路用構造物Ｂ２２ａ，Ｂ２２ｂは、この店舗本来の床１００の上面に設置されている。図２の見取図に示されているとおり、通路用構造物Ｂ２２ａ，Ｂ２２ｂは、回収溝Ｇ２２によって完全に分断された状態となっている。その結果、通路用構造物Ｂ２２ａの上面に散乱した遊技球５３が、図４の左方、すなわち、非常口Ｅ２へと向かう方向に転がったとしても、回収溝Ｇ２２内に落下することになる。図示の遊技球５４は、このようにして回収溝Ｇ２２の内部に収容された遊技球を示している。ここでも、回収溝Ｇ２２の容量を十分に確保しておけば、多量の遊技球が非常口Ｅ２へと向かったとしても、これを回収溝内に収容し、そこに滞留させておくことができるようになる。
【００３６】
要するに、回収溝Ｇ２２は、通路用構造物Ｂ２２ａの上面を転がって非常口Ｅ２（災害発生時の避難口）へ向かう遊技球の流路を遮断する位置に設けられていることになり、その結果、店内に散乱した遊技球が、非常口Ｅ２を通って店外に流出するのを防ぐ役割を果たすことになる。図２に示す回収溝Ｇ２１も、同様の役割を果たす。すなわち、図示のとおり、回収溝Ｇ２１は、通路用構造物Ｂ２１ａ，Ｂ２１ｂを完全に分断する位置に設けられている。別言すれば、回収溝Ｇ２１は、通路用構造物Ｂ２１ａの上面を転がって出入り口Ｅ１（災害発生時の避難口）へ向かう遊技球の流路を遮断する位置に設けられていることになり、その結果、店内に散乱した遊技球が、出入り口Ｅ１を通って店外に流出するのを防ぐ役割を果たすことになる。
【００３７】
このように、本発明に係る防災構造体を施工する前の状態（図１）と、施工した後の状態（図２）とを比べると、図１の状態では、店舗本来の床がそのまま歩行用通路として機能し、災害発生時には、床上に遊技球が散乱するのが避けられないのに対し、図２の状態では、店舗本来の床１００の上に設置された通路用構造物の上面が、揚床式の歩行用通路として機能することになり、かつ、所定箇所に回収溝が形成されているため、災害発生時には、通路用構造物の上面に散乱した遊技球を、回収溝内に落下させて回収することができ、遊技球が歩行用通路上に散乱したままになる事態を極力避けることができるようになる。なお、通路用構造物の設置により、歩行用通路の水平面が店舗本来の床１００よりも若干高くなるが、パチンコ店内の歩行者にとっては、通路用構造物の上面が実質的な歩行用通路となるため、大きな違和感は生じない。
【００３８】
なお、各部に設けられる回収溝のサイズは、災害発生時に散乱する多量の遊技球を十分に収容することが可能な適当なサイズに設定すればよい。一般的なパチンコ店の場合であれば、深さ１００ｍｍ程度、幅３００〜４００ｍｍ程度の回収溝を設ければ十分である。なお、店舗本来の床１００の上面を回収溝の底面としてそのまま利用する場合、回収溝の深さは、通路用構造物の高さに相当することになるので、たとえば、深さ１００ｍｍ程度の回収溝が必要な場合には、高さ１００ｍｍ程度の通路用構造物を設置すればよい。
【００３９】
また、ここに示す実施形態では、図２に示す通路用構造物Ｂ１１，Ｂ１２，Ｂ１３を、それぞれ別体の構造物としているが、これら全体を一体の構造物としてもかまわない。あるいは、図２に示す通路用構造物Ｂ１１，Ｂ１２，Ｂ１３のみならず、通路用構造物Ｂ２１ａ，Ｂ２２ａまでも含めた全体を、一体の構造物としてもかまわない。しかしながら、実用上は、あまり大型の一体構造物を店舗内に設置することは施工上困難であるので、むしろ比較的小型のブロック状構造物を多数並べて配置し、それぞれを床１００に固定することにより、各通路用構造物を構成するのが好ましい。また、図３および図４では、内部が中空の通路用構造物を用いる例が示されているが、本発明に用いる通路用構造物は、必ずしも内部が中空である必要はなく、レンガブロックのような塊を敷き詰めることにより構成してもかまわない。
【００４０】
図２に示す実施形態の特徴は、各回収溝の配置位置にある。まず、図にハッチング領域として示した第１の回収溝Ｇ１１ａ，Ｇ１１ｂ，Ｇ１２ａ，Ｇ１２ｂ，Ｇ１３ａ，Ｇ１３ｂの配置について検討してみよう。図示のとおり、これらの回収溝は、各島状構造体１１，１２，１３の長手方向に沿った両脇直近部分に配置されている。この位置は、遊技台に向かって着座した遊技者の足が置かれる位置に相当する。第１の回収溝をこのような位置に配置するのは、次の３つの理由に基づく。
【００４１】
第１の理由は、通路用構造物Ｂ１１，Ｂ１２，Ｂ１３の上面に散乱した遊技球を効率良く回収するためである。図３の側断面図からも明らかなように、各島状構造体の両脇直近部分に回収溝を形成しておけば、各島状構造体へ向かう方向に転がってゆく遊技球を確実に落下させて回収することができる。別言すれば、各島状構造体の両脇直近部分は、通路用構造物Ｂ１１，Ｂ１２，Ｂ１３の上面に散乱した遊技球を捕らえるのに最も効率的な位置ということができる。
【００４２】
第２の理由は、各島状構造体の両脇直近部分は、歩行用通路として見れば、通路の両端部分に相当するため、この部分に回収溝を設けても、歩行者の歩行の障害にはならないためである。別言すれば、各島状構造体の両脇直近部分を利用すれば、最も邪魔にならない部分に回収溝を形成することが可能になる。
【００４３】
そして第３の理由は、各島状構造体の両脇直近部分は、遊技台に向かって着座した遊技者の足が置かれる位置に相当するため、この位置に回収溝を設けるようにすれば、揚床式の歩行用通路として機能する通路用構造物を設置しているにもかかわらず、遊技中の遊技者は、足を自然な高さに保つことができるためである。たとえば、既存のパチンコ店に、本発明に係る防災構造体を組み込む工事を行った場合、図３に示す例のように、店舗本来の床１００の上面に、揚床式の歩行用通路として機能する通路用構造物Ｂ１１，Ｂ１２を設置することになる。この場合、遊技台４０の高さや、遊技椅子３０の高さは、床１００の位置を基準に設定されていることになる。したがって、遊技台４０に向かって遊技椅子３０に着座した遊技者の足は、床１００の上面に置かれるようにするのが最も自然である。別言すれば、遊技椅子３０に着座した遊技者が、足を通路用構造物Ｂ１１，Ｂ１２の上面におくと、本来の位置よりも高くなり、不自然な姿勢をとらざるを得なくなる。図３に示す例のように、遊技台４０に向かって着座した遊技者の足が置かれる位置に、回収溝Ｇ１１ａ，Ｇ１１ｂ，Ｇ１２ａ，Ｇ１２ｂを配置しておけば、遊技者は足を床１００の上に置いた自然な姿勢で着座することが可能になる。
【００４４】
次に、図２に示す実施形態における第２の回収溝Ｇ２１，Ｇ２２の配置について検討してみよう。図示のとおり、回収溝Ｇ２１は、通路用構造物Ｂ２１ａの上面に散乱した遊技球を落下させて内部に収容する機能を有し、回収溝Ｇ２２は、通路用構造物Ｂ２２ａの上面に散乱した遊技球を落下させて内部に収容する機能を有する。しかしながら、これら回収溝Ｇ２１，Ｇ２２のより重要な機能は、店内に散乱した遊技球が店外へと流出することを阻止する機能である。回収溝Ｇ２１は、通路用構造物Ｂ２１ａの上面を転がって出入り口Ｅ１へ向かう遊技球の流路を遮断する位置に設けられており、この回収溝Ｇ２１の存在により、出入り口Ｅ１を通じての遊技球の店外流出を阻止することができる。同様に、回収溝Ｇ２２は、通路用構造物Ｂ２２ａの上面を転がって非常口Ｅ２へ向かう遊技球の流路を遮断する位置に設けられており、この回収溝Ｇ２２の存在により、非常口Ｅ２を通じての遊技球の店外流出を阻止することができる。
【００４５】
なお、第２の回収溝Ｇ２１，Ｇ２２は、図示の例のように、出入り口Ｅ１や非常口Ｅ２といった店舗へのアクセスポイント近傍に設置することになるため、歩行者の歩行に障害を及ぼす可能性がある。実際、出入り口Ｅ１や非常口Ｅ２の近傍に、段差となる回収溝Ｇ２１，Ｇ２２が設置されていると、歩行中に足をとられて転倒する事故が発生する可能性がある。そこで、実用上は、第２の回収溝Ｇ２１，Ｇ２２の上面に、遊技球が落下するのに十分な大きさの開口部を有する蓋板を設けるようにするのが好ましい。図５は、このような蓋板６０の一例を示す平面図である。
【００４６】
図５に示す蓋板６０は、フレーム部６１と開口部６２とを有する格子構造をなす。ここで、開口部６２の大きさを、遊技球５５を導入するのには十分で、歩行者の歩行を妨げない大きさ（具体的には、歩行者のつま先が入り込まない大きさ）に設定しておけば、歩行者が回収溝に足を捕らわれて転倒するような事故の発生を防ぐことができ、かつ、散乱する遊技球を溝内に回収するという本来の効果を損なうこともない。この図５に示すような蓋板６０を多数用意し、回収溝Ｇ２１，Ｇ２２の上面を覆うように固定すれば、回収溝Ｇ２１，Ｇ２２が歩行者の障害になることを防ぐことができる。蓋板は、必ずしも図示のような格子で構成する必要はなく、メッシュ状（網目状）の蓋板でもかまわない。なお、回収溝Ｇ１１ａ，Ｇ１１ｂ，Ｇ１２ａ，Ｇ１２ｂ，Ｇ１３ａ，Ｇ１３ｂは、上述したとおり、遊技台に向かって着座した遊技者の足を置くための溝として機能するため、、一般的には、蓋板を被せる必要はない。
【００４７】
最後に、本発明の別な実施形態を説明する。図６は、この別な実施形態に係る防災構造体の施工例を示す見取図である。この図６において、ハッチング部分は、回収溝もしくは踊り場の形成領域を示すものであり、断面を示すものではない。この図６の実施形態は、ビル内の１フロアに出店したパチンコ店についての実施形態であり、外壁部Ｗはビル全体の外壁を構成している。
【００４８】
このパチンコ店への出入りは、階段式昇降機７０（いわゆるエスカレーター（登録商標））もしくは昇降機８０（いわゆるエレベーター）を利用して行われる。図２に示した実施形態と同様に、店舗の中央部には、島状構造体１１，１２，１３が配置されており、図の下方には、景品交換カウンタ２０が配置されている。そして、島状構造体１１，１２，１３の周囲に、通路用構造物Ｂ１１，Ｂ１２，Ｂ１３が配置されている点も、図２の実施形態と同様であり、図の上方部分に、通路用構造物Ｂ３１ａ，Ｂ３１ｂが配置されており、図の下方部分に、通路用構造物Ｂ３２ａ，Ｂ３２ｂが配置されている点も、図２の実施形態と同様である。
【００４９】
ただ、通路用構造物Ｂ３１ａ，Ｂ３１ｂは、階段式昇降機７０への通路を構成しており、回収溝Ｇ３１によって完全に分離されている。すなわち、回収溝Ｇ３１は、図示のとおり、階段式昇降機７０の周囲を囲むような方環状の領域を形成し、通路用構造物Ｂ３１ａの上面を転がって階段式昇降機７０（避難口）へ向かう遊技球の流路を遮断する位置に配置されている。したがって、店内に散乱した遊技球が、階段式昇降機７０を伝わって階下へと流れ出ることを阻止することが可能になる。なお、階段式昇降機７０の最上段前方に位置する踊り場Ｇ７０（ハッチングで示す部分）は、回収溝Ｇ３１と同様に、店舗本来の床が露出した領域となっているが、これは既存の階段式昇降機７０との高さの整合性を維持するためである。階段式昇降機７０を上ってきた遊技者は、踊り場Ｇ７０に足を踏み入れた後、ステップアップする歩行動作で、通路用構造物Ｂ３１ｂの上面へと歩み入れることになる。実用上は、回収溝Ｇ３１の上面を蓋板６０で覆うのが好ましい。
【００５０】
一方、通路用構造物Ｂ３２ａ，Ｂ３２ｂは、昇降機８０への通路を構成しており、回収溝Ｇ３２によって完全に分離されている。すなわち、回収溝Ｇ３２は、図示のとおり、昇降機８０への出入り口を囲むような領域を形成し、通路用構造物Ｂ３２ａの上面を転がって昇降機８０（避難口）へ向かう遊技球の流路を遮断する位置に配置されている。したがって、店内に散乱した遊技球が、昇降機８０もしくはその昇降経路を伝わって階下へと流れ出ることを阻止することが可能になる。なお、昇降機８０の出入り口に位置する踊り場Ｇ８０（ハッチングで示す部分）は、回収溝Ｇ３２と同様に、店舗本来の床が露出した領域となっているが、これは既存の昇降機８０との高さの整合性を維持するためである。昇降機８０を利用して当該フロアに降り立った遊技者は、踊り場Ｇ８０に足を踏み入れた後、ステップアップする歩行動作で、通路用構造物Ｂ３２ｂの上面へと歩み入れることになる。実用上は、回収溝Ｇ３２の上面を蓋板６０で覆うのが好ましい。
【００５１】
また、ビル全体に出店した大型店舗の場合は、各フロアすべてがパチンコ店のフロアとなるため、全フロアに対して、図６に示すような防災構造体を採用することができる。この場合、昇降機８０のかご内の床にも、通路用構造物を設置すれば、昇降機８０のかご内も揚床式にすることができるので、踊り場Ｇ８０を設ける必要はなくなる。すなわち、図６に示す踊り場Ｇ８０の領域まで、通路用構造物Ｂ３２ｂを延長するようにしても、昇降機８０のかご内の床にも通路用構造物が設置されていれば、段差なしに昇降機８０への乗り降りが可能になる。
【００５２】
なお、図６に示す実施形態では、更に、通路用構造物Ｂ３２ａと景品交換カウンタ２０との境界部分に、境界部回収溝Ｇ３３を設け、外壁部Ｗの内側に沿った部分に壁脇回収溝Ｇ３４を設けるようにしている。図示のとおり、回収溝Ｇ３２、境界部回収溝Ｇ３３、壁脇回収溝Ｇ３４は、相互に連結した一連の溝となっている。実用上、図示のような境界部回収溝Ｇ３３や壁脇回収溝Ｇ３４は、通路用構造物の上面に散乱した遊技球を効果的に回収する上で有効である。散乱して転がる遊技球は、景品交換カウンタ２０や壁面などの障害物に衝突すると、反対方向に跳ね返って転がり続ける傾向にあるので、このような障害物の直近に、境界部回収溝Ｇ３３や壁脇回収溝Ｇ３４を設けておけば、障害物に向かっていた遊技球をそのまま捕らえて回収することができる。もちろん、必要があれば、これら境界部回収溝Ｇ３３や壁脇回収溝Ｇ３４についても、図５に示すような蓋板６０を取り付けるようにすればよい。
【００５３】
以上、図６に示す実施形態では、ビル内に出店したパチンコ店に出入りするため、階段式昇降機７０や昇降機８０を利用する例について述べたが、階段が設けられている場合も全く同様である。たとえば、図６に示す階段式昇降機７０の代わりに階段が設けられているケースや、昇降機８０の位置に階段が設けられているケースについても、図示の実施形態と同様の防災構造体によって対応することが可能である。前述したとおり、本発明における第２の回収溝は、通路用構造物の上面を転がって避難口へ向かう遊技球の流路を遮断する位置に設けられるが、ここで言う「避難口」とは、いわゆる一般的な出入り口を意味するだけではなく、非常口、階段、避難階段、昇降機、階段式昇降機なども広く含むものである。一般に、災害発生時には、昇降機や階段式昇降機を用いた避難は好ましくないものとされているが、本願にいう「避難口」とは、物理的に脱出が可能なすべての手段を含む概念として用いている。
【００５４】
図７は、本発明の更に別な実施形態に係る防災構造体の施工例を示す見取図（ハッチング部分は、回収溝の形成領域を示すものであり、断面を示すものではない）であり、図８は、この図７に示す防災構造体を切断線８−８に沿って切った側断面図である。図２および図３に示す施工例と図７および図８に示す施工例との相違は、回収溝の幅である。すなわち、前者では、図３に示されているとおり、通路用構造物Ｂ１１，Ｂ１２が、遊技椅子３０の直下の領域にまで配置されており、回収溝Ｇ１１ｂ，Ｇ１２ａの幅は、遊技者の足が入る程度のものであるのに対し、後者では、図８に示されているとおり、遊技椅子３０の直下の領域にまで回収溝Ｇ１１ｂ，Ｇ１２ａが延びており、通路用構造物Ｂ１５は、両遊技椅子３０の背面空間の通路部分にのみ形成されている。なお、後者における通路用構造物Ｂ１５は、前者における通路用構造物Ｂ１１，Ｂ１２，Ｂ１３を一体化したものになっている。
【００５５】
図７の見取図に示されているとおり、島状構造体１１，１２，１３の両脇直近部分に形成された回収溝Ｇ１１ａ，Ｇ１１ｂ，Ｇ１２ａ，Ｇ１２ｂ，Ｇ１３ａ，Ｇ１３ｂは、遊技椅子３０の領域にまで及び、かなり広い面積を占めている。このため、溝内に回収可能な遊技球の量もそれだけ増えることになる。
【００５６】
以上、本発明を図示するいくつかの実施形態に基づいて説明したが、もちろん、本発明はこれらの実施形態に限定されるものではなく、この他にも種々の態様で実施可能である。特に、各通路用構造物および各回収溝の配置位置、形状、構造は、図示の例に限定されるものではなく、発明本来の作用効果を奏する限り、種々の変形が可能である。
【図面の簡単な説明】
【００５７】
【図１】本発明に係る防災構造体の適用対象となる一般的なパチンコ店の見取図である。
【図２】図１に示すパチンコ店に本発明に係る防災構造体を付加した施工例を示す見取図である（ハッチング部分は、回収溝の形成領域を示すものであり、断面を示すものではない）。
【図３】図２に示す防災構造体を切断線３−３に沿って切った側断面図であり、主として、島状構造体１１から１２にわたる部分の構造を示している。
【図４】図２に示す防災構造体を切断線４−４に沿って切った側断面図であり、主として、非常口Ｅ２から景品交換カウンタ２０へ向かう部分の構造を示している。
【図５】図２に示す回収溝Ｇ２１，Ｇ２２の上面に設けるのに適した蓋板の一例を示す平面図である。
【図６】本発明の別な実施形態に係る防災構造体の施工例を示す見取図である（ハッチング部分は、回収溝もしくは踊り場の形成領域を示すものであり、断面を示すものではない）。
【図７】本発明の更に別な実施形態に係る防災構造体の施工例を示す見取図である（ハッチング部分は、回収溝の形成領域を示すものであり、断面を示すものではない）。
【図８】図７に示す防災構造体を切断線８−８に沿って切った側断面図であり、主として、島状構造体１１から１２にわたる部分の構造を示している。
【符号の説明】
【００５８】
１１，１２，１３…遊技台取付用島状構造体
２０…景品交換カウンタ
３０…遊技椅子
３１…円柱状台座部
３２…座面部
３３…背もたれ
４０…遊技台
５０…歩行者
５１〜５５…遊技球
６０…蓋板
６１…フレーム部
６２…開口部
７０…階段式昇降機（いわゆるエスカレーター（登録商標））
８０…昇降機（いわゆるエレベーター）
１００…店舗本来の床
Ａ１１，Ａ１２，Ａ１３…第１の通路領域
Ａ２１，Ａ２２…第２の通路領域
Ｂ１１，Ｂ１２，Ｂ１３，Ｂ１５…第１の通路用構造物
Ｂ２１ａ，Ｂ２１ｂ，Ｂ２２ａ，Ｂ２２ｂ…第２の通路用構造物
Ｂ３１ａ，Ｂ３１ｂ，Ｂ３２ａ，Ｂ３２ｂ…第２の通路用構造物
Ｅ１…出入り口
Ｅ２…非常口
Ｇ１１ａ，Ｇ１１ｂ，Ｇ１２ａ，Ｇ１２ｂ，Ｇ１３ａ，Ｇ１３ｂ…第１の回収溝
Ｇ２１，Ｇ２２…第２の回収溝
Ｇ３１，Ｇ３２…第２の回収溝
Ｇ３３…境界部回収溝
Ｇ３４…壁脇回収溝
Ｇ７０，Ｇ８０…踊り場
Ｗ…外壁部
【図１】
2005261641.tif 000003
【図２】
2005261641.tif 000004
【図３】
2005261641.tif 000005
【図４】
2005261641.tif 000006
【図５】
2005261641.tif 000007
【図６】
2005261641.tif 000008
【図７】
2005261641.tif 000009
【図８】
2005261641.tif 000010